(57)【要約】【課題】  連続パックを外包装材内に上下方向に重ねて又は横方向に並べて包装したときに整然と収容された状態を保持することができ、連続パック間のズレを防止することが可能な包装品を提供すること。【解決手段】  少なくとも二つの小袋１，１が連接されたシール部分の中央箇所４にミシン目５を設け、各小袋に食品が充填された複数の連続パック１０を包装袋内に収めて包装した包装品２０であって、連続パック１０を１個ずつ中央箇所４に沿って折り重ね、かつ、その折り重ねられた一の連続パックの略Ｖ字形の端縁と他の連続パックの略Ｖ字形の端縁が対面して、一の連続パックの略Ｖ字形の端縁の一辺と他の連続パックの略Ｖ字形の端縁の一辺が交差するように前記複数個の連続パックを前記外包装材内に収めた。【選択図】  図３
2005186968.tif 000002
【特許請求の範囲】
【請求項１】
少なくとも二つの小袋が連接されたシール部分の中央箇所に切り離し部を設け、各小袋に食品が充填された連続パックの複数個を外包装材内に収めて包装した包装品であって、前記連続パックを１個ずつ前記中央箇所に沿って折り重ねて端縁を略Ｖ字形に形成し、かつ、その折り重ねられた一の連続パックの略Ｖ字形の端縁と他の連続パックの略Ｖ字形の端縁が対面して、一の連続パックの略Ｖ字形の端縁の一辺と他の連続パックの略Ｖ字形の端縁の一辺が交差するように前記複数個の連続パックを前記外包装材内に収めたことを特徴とする包装品。
【発明の詳細な説明】
【技術分野】
【０００１】
本発明は、削り節などの食品が小袋に充填された複数の連続パックを袋や箱などの外包装材内に収めて包装した包装品に関するものである。
【背景技術】
【０００２】
削り節などの食品が小袋に充填された単独のパックや２連パックを、袋や箱などの外包装材内に所定数を上下二段に重ね又は横に並べて収めて包装した包装品が知られている。
【０００３】
単独のパックを上下二段に重ねて外包装材内に収容された包装品では、上段のパックが下段のパックの間に落ち込んだりして見栄えが悪くなる。そこで、上段のパックと下段のパックとの間に仕切り板を入れて、上段のパックが落ち込んだり、それらの高さが区々にならないようにして安定した収容状態に保持されるように工夫されている。ところが、単独のパックの包装品では仕切り板を使用することから、袋詰め作業が煩雑になり、包装コストが高くつき、さらには、消費者の使用後に仕切り板をゴミとして廃棄しなければならないなどの不都合を伴う。
【０００４】
特開２００３−３００５５５号公報には、連続する二以上の食品パックの外周縁部に切り込み、ミシン目等を設けた食品連続パックを、一以上、外包装材内に包装した包装パックが開示されている。この包装パックでは、食品連続パック同士が拘束されていないので、出荷から消費者にわたる間において整然と収容された状態を保持することが難しいと言えよう。
【０００５】
また、実用新案登録第３０１１１９５号公報には、分離可能なミシン目を中央に有する削りぶし収納２連パックを複数枚重ね、それら２連パックのミシン目に沿って巻回した紐を蝶結びすることにより２連パックを円柱状に束ねた形態の贈答用削りぶしパック集合物が開示されている。この削りぶしパック集合物は、贈答用としての装飾性を目的としたものであり、外包装材内にて包装することを前提とする考案ではない。
【特許文献１】特開２００３−３００５５５号公報
【特許文献２】実用新案登録第３０１１１９５号公報
【発明の開示】
【発明が解決しようとする課題】
【０００６】
本発明の目的は、連続パックを外包装材内に上下方向に重ねて又は横方向に並べて包装したときに整然と収容された状態を保持することができ、連続パック間のズレを防止することが可能な包装品を提供することにある。
【課題を解決するための手段】
【０００７】
前記目的を達成するために請求項１に記載した発明は、少なくとも二つの小袋が連接されたシール部分の中央箇所に切り離し部を設け、各小袋に食品が充填された連続パックの複数個を外包装材内に収めて包装した包装品であって、前記連続パックを１個ずつ前記中央箇所に沿って折り重ねて端縁を略Ｖ字形に形成し、かつ、その折り重ねられた一の連続パックの略Ｖ字形の端縁と他の連続パックの略Ｖ字形の端縁が対面して、一の連続パックの略Ｖ字形の端縁の一辺と他の連続パックの略Ｖ字形の端縁の一辺が交差するように前記複数個の連続パックを前記外包装材内に収めたことを特徴とする。
【発明の効果】
【０００８】
この包装品は、連続パックを外包装材内に上下方向に重ねて又は横方向に並べて包装したとき、一の連続パックと略Ｖ字形の端縁の一辺と他の連続パックの略Ｖ字形の端縁の一辺が交差するので、一の連続パックに他の連続パックが入り込んで重なることがなく、そのため整然と収容された状態を保持することができ、連続パック間のズレを生じないので商品としての見栄えが良い。加えて、仕切り板が不要であることから、袋詰め作業の簡易化、包装コストの低減化に寄与する。
【発明を実施するための最良の形態】
【０００９】
以下に、本発明の最良の形態例を図面に基づいて説明する。図１は２連の連続パックの斜視図、図２は連続パックを中央箇所で二つに折り重ねた状態を示す斜視図、図３は二つに折り重ねた連続パックを６個外包装材に収めて包装した包装品を模式的に示す斜視図、図４は、同包装品を模式的に示す平面図である。
【実施例１】
【００１０】
図１に示す連続パック１０は、公知のガスバリア性を有する樹脂フィルム材料により二つの小袋１，１が横方向に連接して形成されるように、その周縁２及び中央箇所４にヒートシール処理を施して当該部位を接着している。その中央箇所４のシール部分には、切り離し部としてのミシン目５を設けてあり、使用時に小袋１を簡単に切り離すことができるように設けている。６は各小袋１の周縁２の一部に形成された開封用の切り口である。
【００１１】
小袋１を一つずつ分離するための切り離し部については、上記ミシン目５以外に、連続的な切り込みや断続的な切り込みとすることも可能である。
【００１２】
上記連続パック１０は、ガス充填包装機により各々の小袋１，１に、約３〜５グラムの量の削り節、ふりかけ等の食品を充填し、定法通り窒素ガスや炭酸ガスで内部空気と置換させてから袋口をヒートシール処理により密封包装されている。
なお、この実施の形態では、連続パック１０を２連構成としているところ、３連構成でもよく、特にこれに限定されるものではない。
【００１３】
図２に示すように、連続パック１０を１個ずつ中央箇所のミシン目５に沿って折り重ねると、略Ｖ字形の端縁２ａが形成される。
【００１４】
折り重ねて端縁２ａを略Ｖ字形にした連続パックを図３及び図４に示すように、一段３個、上下２段に包装袋１８に収めて包装品２０を構成する。下段の連続パック１０と上段の連続パック１０を収納するとき、下段の連続パック１０の略Ｖ字形の端縁２ａの一辺と上段の連続パック１０の略Ｖ字形の端縁２ａの一辺が交差するように対面させる。
【００１５】
なお、外包装材については、包装袋１８のほか、缶や箱等とすることもできる。また、図３及び図４に示す包装品では連続パックを上下２段に収めたが、横２列すなわち包装品を横に倒したと同じ状態に収めることもできる。
【００１６】
以上に述べた通り、この包装品は、連続パックを外包装材内に上下方向に重ねて又は横方向に並べて包装したときに整然と収容された状態を保持することができ、連続パック間のズレが生じなく、商品としての見栄えが良いという利点がある。
【図面の簡単な説明】
【００１７】
【図１】本発明の実施例１に係る２連の連続パックの斜視図である。
【図２】本発明の実施例１に係る連続パックを中央箇所で二つに折り重ねた状態を示す斜視図である。
【図３】本発明の実施例１に係る二つに折り重ねた連続パックを６個外包装材に収めて包装した包装品を模式的に示す斜視図である。
【図４】本発明の実施例１に係る同包装品を模式的に示す平面図である。
【符号の説明】
【００１８】
１・・・小袋
２ａ・・・略Ｖ字形の端縁
４・・・中央箇所
５・・・ミシン目（切り離し部）
１０・・・連続パック
１８・・・包装袋（外包装材）
２０・・・包装品
【図１】
2005186968.tif 000003
【図２】
2005186968.tif 000004
【図３】
2005186968.tif 000005
【図４】
2005186968.tif 000006